(57)【要約】【課題】高反発係数及び典型的なゴルファーのためのより大きな寛容性を有する複数の材料クラブヘッドを提供する。【解決手段】開口部（３２）を備えた前壁（３０）を備えた本体（２２）及び打撃板インサート（４０）を備えたゴルフクラブヘッド（２０）が開示されている。本体（２０）は、望ましくは軽量非金属材料から成る。本体（２２）のリボン（２８）は、後重量部材（５０）の配置のためのリセス（５２）を備える。ゴルフクラブヘッド（２０）は３００乃至５００立方センチメートルの間の容積を備える。ゴルフクラブヘッド（２０）は１０５乃至３００グラムの間の重さを備える。【選択図】　　　　図１
2004041681.tif 000002
【特許請求の範囲】
【請求項１】
クラウンと、ソールと、開口部を備えた前壁と、開口部と反対に外部リセスを備えたリボンとを有し、プリプレグ材料のよりから構成される本体と、
前記開口部内に位置され、０．０４０インチ乃至０．２５０インチの範囲の均一な厚さを有し、金属材料から成り、４０乃至８０グラムの範囲の重量を備えた打撃板インサートと、
前記リボンの前記リセス内に配置され、３０乃至６０グラムの範囲の重量を備え、金属材料から成る重量部材とを含み、
ゴルフクラブヘッドは、０．８０乃至０．９４の反発係数及び３３０乃至５００立方センチメートルの容積を備えることを特徴とするゴルフクラブヘッド。
【請求項２】
当該ゴルフクラブヘッドのＩｚｚ軸における慣性モーメントは、３０００グラム平方センチメートル以上であることを特徴とする請求項１記載のゴルフクラブヘッド。
【請求項３】
前記打撃板インサートは、チタン、チタン合金、鋼合金及びアモルファス金属から構成される群から選択された材料から成ることを特徴とする請求項１記載のゴルフクラブヘッド。
【請求項４】
前記重量部は、鋼、真ちゅう、タングステン、銅及びこれらの合金から構成される群から選択された材料あら成ることを特徴とする請求項１記載のゴルフクラブヘッド。
【請求項５】
クラウンと、ソールと、開口部を備えた前壁と、開口部と反対に外部リセスを備えたリボンとを有し、プリプレグ材料のよりから構成される本体と、
前記開口部内に位置され、０．０４０インチ乃至０．２５０インチの範囲の均一な厚さを有し、鋼合金から成り、４０乃至８０グラムの範囲の重量を備えた打撃板インサートと、
前記リボンの前記リセス内に配置され、３０乃至６０グラムの範囲の重量を備えた重量部材とを含み、
ゴルフクラブヘッドは、反発係数が０．８２乃至０．８９で、容積が３６０乃至４５０立方センチメートルで、重さが１９０乃至２２５グラムで、重心を通ったＩｚｚ軸に関する慣性モーメントが３０００グラム平方センチメートル以上であり、重心を通ったＩｙｙ軸に関する慣性モーメントが１９００グラム平方センチメートル以上であることを特徴とするゴルフクラブヘッド。
【請求項６】
クラウンと、ソールと、リボンと、打撃板とを含み、
ゴルフクラブヘッドは、容積が４５０立方センチメートル以下で、重さが１９０乃至２２５グラムで、重心を通ったＩｚｚ軸に関する慣性モーメントが３０００グラム平方センチメートル以上であり、重心を通ったＩｙｙ軸に関する慣性モーメントが３０００グラム平方センチメートル以上であることを特徴とするゴルフクラブヘッド。
【発明の詳細な説明】
【０００１】
【発明の属する技術分野】
本発明は、金属打撃板インサートを備えたゴルフクラブヘッドに関する。より具体的には、非金属の本体及び金属打撃板インサートを備えたゴルフクラブヘッドに関する。
【０００２】
【従来の技術】
ゴルフクラブヘッドがゴルフボールを打撃すると、大きな衝撃が発生し、クラブヘッドフェイス及びゴルフボールを負荷する。多くのエネルギがクラブヘッドからゴルフボールへ移行されるが、幾らかのエネルギは衝突の結果、失われる。ゴルフボールは、典型的には、ゴムのようなコアを囲っている重合体被覆材料（例えば、イオノマー）から成る。これらの、より柔らかい重合体材料は、金属クラブフェイスのダンピング特質よりも１０乃至１００倍のオーダで左右される張力及び張力レートであるダンピング（損失）特質を備える。このように、インパクトの間は、エネルギの多くが、金属クラブフェイスの小さな変形（０．０２５乃至０．０５０インチ）とは反対に、ゴルフボールの高応力及び変形（０．００１乃至０．２０インチ）の結果損失する。クラブヘッドからゴルフボールへのより効率的なエネルギ移行は、ゴルフボールの大きな飛行距離へと導かれるであろう。
【０００３】
一般的に受け入れられるアプローチは、金属又はクラブヘッド変形を減少するために、クラブヘッドフェイスの硬さを増加することである。しかしながら、これはゴルフボールのより大きな変形を引き起こし、エネルギ移行問題を増加させる。
【０００４】
幾つかは認識された問題であり、可能な解決が開示されている。１つの例が、Ｃａｍｐａｕの米国特許「Ｍｅｔｈｏｄ　Ｏｆ　ｍａｋｉｎｇ　Ｉｒｏｎ　Ｇｏｌｆ　Ｃｌｕｂ　Ｗｉｔｈ　Ｆｌｅｘｉｂｌｅ　Ｉｍｐａｃｔ　Ｓｕｒｆａｃｅ」であり、フェイス板の曲げを考慮したスロットを備えた曲げやすく弾力のあるフェイス板を備えるクラブを開示する。Ｃａｍｐａｕのフェイス板は、ステンレス鋼のような鉄の材料から成り、０．１インチ乃至０．１２５インチの範囲の厚さを有する（特許文献１参照）。
【０００５】
別の例は、Ｅｇｇｉｍａｎの米国特許「Ｇｏｌｆ　Ｃｌｕｂ　Ｈｅａｄ　Ｗｉｔｈ　Ｅｌａｓｔｉｃａｌｌｙ　ｄｅｆｏｒｍｉｎｇ　Ｆａｃｅ　Ａｎｄ　Ｂａｃｋ　Ｐｌａｔｅ」であり、インパクト中のゴルフボールへのバネのような影響を創るために一致して作用する複数の板の使用が開示されている。流体が、粘性カプラーとして作用する少なくとも２つの板の間に配置される（特許文献２参照）。
【０００６】
更に別の例は、Ｊｅｐｓｏｎ　ｅｔ　ａｌの米国特許「Ｇｏｌｆ　Ｃｌｕｂ　Ｗｉｔｈ　Ａ　Ｐｏｌｙｕｒｅｔｈａｎｅ　Ｉｎｓｅｒｔ」である。Ｊｅｐｓｏｎは、４０乃至７５ショアーＤの間の硬さを備えたポリウレタンインサートを開示する（特許文献３参照）。
【０００７】
別の例は、Ｉｎａｍｏｒｉの米国特許「Ｇｏｌｆ　Ｃｌｕｂ　Ｈｅａｄ　Ｗｉｔｈ　Ｃｅｒａｍｉｃ　Ｆａｃｅ　Ｐｌａｔｅ」であり、セラミックスは通常はより硬い材料であるが、高エネルギ移行係数を有するセラミック材料から成るフェイス板を用いることを開示する（特許文献４参照）。
【０００８】
Ｃｈｅｎ　ｅｔ　ａｌの米国特許「Ｇｏｌｆ　Ｃｌｕｂ　Ｈｅａｄ」は、ゴルフボールの衝撃を吸収するためにフェイス中の複数層を使用することを開示する（特許文献５参照）。
【０００９】
Ｌｕの米国特許「Ｈｏｌｌｏｗ　Ｃｌｕｂ　Ｈｅａｄ　Ｗｉｔｈ　Ｄｅｆｌｅｃｔｉｎｇ　Ｉｎｓｅｒｔ　Ｆａｃｅ　Ｐｌａｔｅ」は、ステンレス鋼、チタン、ＫＥＶＬＡＲ（登録商標）等を含む材料の多様性のために０．０１乃至０．３０インチの範囲のフェイス板の小さな偏向を考慮したプラスチック又はアルミニウム合金から成る補強要素を開示する（特許文献６参照）。
【００１０】
Ｃａｍｐａｕの別の発明である米国特許「Ｇｏｌｆ　Ｃｌｕｂ　ＨａｖｉｎｇＩｎｓｅｒｔ　Ｃａｐａｂｌｅ　Ｏｆ　Ｅｌａｓｔｉｃ　Ｅｌｅｘｉｎｇ」は、金属インサートを備えたウッドから成るウッドクラブを開示する（特許文献７参照）。
【００１１】
フェイス板の曲げを意図するものではないが、Ａｎｄｅｒｓｏｎの米国特許「Ｇｏｌｆ　Ｃｌｕｂ　Ｈｅａｄ　Ａｎｄ　Ｍｅｔｈｏｄ　Ｏｆ　ＦｏｒｍｉｎｇＳａｍｅ」は、フェイス板用の高温鍛造材料の使用を開示する。Ａｎｄｅｒｓｏｎのフェイス板は、鋼、銅、及びチタンを含む幾つかの高温鍛造材料から構成されてもよい。高温鍛造板は、０．０９０乃至０．１３０インチの間の均一の厚さを備える（特許文献８参照）。
【００１２】
クラブヘッド中の鍛造材料に向けられた別の発明は、Ｓｕ　ｅｔ　ａｌ．の米国特許「Ｇｏｌｆ　Ｃｌｕｂ　Ｈｅａｄ」である。Ｓｕは、鍛造材料から成る各片を備えた３つの片から構成される。Ｓｕの主な目的は、大きなロフト角の正確性を備えたクラブヘッドを製造すること及び構造的弱さを減少することである（特許文献９参照）。
【００１３】
Ａｉｚａｗａの米国特許「Ｇｏｌｆ　Ｃｌｕｂ　Ｈｅａｄ」は、湾曲ボールヒッティング表面を備えたフェイス板を開示する（特許文献１０参照）。
【００１４】
Ｖｉｎｃｅｎｔ，　ｅｔ．　ａｌの米国特許は、ゴルフクラブの製造方法であって、壁は、可溶性コアへ添付された内部へプラスチックのような材料を射出して得られる。コアは、射出可能なプラスチック材料の融点よりも低い融点を有し、ひとたびコアが除去されると、内部容積は内部キャビティを形成するために維持される。内部は、コアの除去によりシェルの前壁の内部位置を補強し、鋼から成る横から延出している部分を備えたアルミニウムから構成された抵抗要素から構成されてもよい（特許文献１１参照）。
【００１５】
Ｐｅｔｅｒｓ，　ｅｔ．　ａｌの米国特許は、単一平面インターフェイスに沿って形成された金属製上部分（２４）と金属製下部分（２６）の係合面を備え、下部分は上部分に比し高密度、高重量の材料であることを開示する（特許文献１２）。
【００１６】
Ｒｉｇａｌ，　ｅｔ．　ａｌの米国特許は、衝撃−抵抗金属性封止要素によって定められる衝撃面を備え成形された熱可塑性物質で、のゴルフクラブヘッドを開示する。封止要素は、クラブヘッドの打撃表面の前壁を定め、クラブヘッドへ軸を取り付けるための首を形成するために上方へ衝撃表面側に沿って延びている（特許文献１３及び１４参照）。
【００１７】
Ｖｉｎｃｅｎｔ，　ｅｔ．　ａｌの米国特許は、鋼シェル及びファイバの編まれたウエブの多数積み重ねて成る混合打撃表面を備えた中空ゴルフクラブヘッドを開示する（特許文献１５参照）。
【００１８】
Ｖｉｏｌｌａｚ，　ｅｔ．　ａｌの米国特許は、金属板のシリーズから成る本体及びプラスチック又は混合材料から成り前方へ広がる凸形状に添えられているヒッティング板を備えるゴルフクラブヘッドを開示する（特許文献１６参照）。
【００１９】
更には、Ｖｉｏｌｌａｚ，　ｅｔ．　ａｌの米国特許は、金属板のシリーズから成る本体、及び、前ヒッティング表面上に位置され、プラスチック又は混合材料から成るヒッティング板が取り付けられた金属支持板を備えるゴルフクラブヘッドを開示する。金属支持板は、ヒッティング板の前方へ広がる凸状の後板と共に前方へ広がる凸状の前板を供え、前方へ広がる凸状のヒッティング表面を形成する（特許文献１７参照）。
【００２０】
Ｄｅｓｂｏｉｌｌｅｓ，　ｅｔ　ａｌの米国特許は、金属打撃面板を備えるゴルフクラブヘッドであって、打撃面板は、クラブヘッドの内部位置において、ある量の充填材料によってゴルフクラブヘッドに取り付けられた別個のユニットである（特許文献１８参照）。
【００２１】
Ｋｕｒａｈａｓｈｉの米国特許は、ウッド−プラスチック材料の混合によって補強された木製ゴルフクラブヘッド本体を開示する。ウッド−プラスチック混合材料は、不均一に配分され、クラブヘッドの前面の近傍に５乃至１５ｍｍの間の範囲で高密度に、クラブヘッドの前面と実質的に平行に延びている（特許文献１９参照）。
【００２２】
Ｍａｄｅｒの米国特許は、ソール板、フェイス板、ヒール、トゥ、ホーゼル部分が単一鋳造金属片として形成されているゴルフクラブであって、ウッド又は混合クラウンがこの単一片に取り付けられており、クラブヘッド中で中空室を形成する（特許文献２０参照）。
【００２３】
Ｌｏ，　ｅｔ　ａｌの米国特許は、中空金属ゴルフクラブヘッドを開示し、ヘッドの金属ケーシングは少なくとも２つの開口から成る。ヘッドはまた、ヘッド内に配置された混合材料を含み、その混合材料の一部がゴルフクラブヘッドケーシングの開口中に位置されている（特許文献２１参照）。
【００２４】
Ｄａｎｉｅｌの米国特許は、シェル本体がアルミニウム合金等の金属から成り、フェイス板がブナやパーシモン等の硬い木から成る中空ゴルフクラブヘッドを開示する。フェイス板は、一直線上にされ、ウッドグレインは打撃板において端を上に向けて示す（特許文献２２参照）。
【００２５】
Ｇｌｏｖｅｒの米国特許は、ソールを備えたブラケット及びそこに一体に形成された打撃板を備えたゴルフクラブヘッドを開示する。板の少なくとも１つは、取り外し可能に調整できる重量手段を固定するための埋められた延長チューブである（特許文献２３参照）。
【００２６】
Ｌｏの米国特許は、ラミネートされた部材が挿入された金属ケーシングを用いた混合ゴルフクラブヘッドを製造する方法を開示する。混合材料のシートは、ラミネートされた部材の開口及び双方の頂部の開口を閉じる金属ケーシングを後に積層する。そして、延出可能なポケットが、ヘッドがモールド中へ位置され加熱されたときに部材が金属ケーシング中に完全に取り付けられる窒化ナトリウム、塩化アンモニウム、水から成る中空ラミネート部材中に挿入される（特許文献２４参照）。
【００２７】
Ｔｈｏｍｐｓｏｎの米国特許は、ラミネートされた上面とキールを備えた金属ソール表面を具体化したウッドゴルフクラブヘッドを開示する。ラミネーションを補強し、通常は硬い物との衝撃でラミネーションが剥がれることから本体を維持するために、ボルトが、クラブヘッドのクラウンを通じて挿入され、キールにおいてソール板と接続され、ラミネーションを圧縮するためにしっかりと留められる（特許文献２５参照）。
【００２８】
Ｂｅｌｍｏｎｔの米国特許は、取り外し可能に挿入された重さ調節部材を備えた木製ゴルフクラブを開示する。部材は、フェイス部からクラブの後部へ向っている中央垂直軸に対して平行であり、トゥ軸に対するクラウンに垂直である。重さ調節部材は、フェイス板を形成するためにも用いることができるポリウレタン樹脂で満たされたカプセルを用いて決まった場所に維持されてもよい。カプセルは、重さ手段を調節するアクセスを設けるためにカバーを備えたクラブヘッドの後面上に開口を備える（特許文献２６参照）。
【００２９】
Ｃｌａｒｋの米国特許は、重さ調節手段を備えた木製ゴルフクラブヘッドを開示する。ゴルフクラブヘッドは、重さ調節を保持するための側部及び底部、望ましくは鋳造又はヒール板と共に一体的に形成されている。取り付けられた重さ部材を備えたヒール板は、開口を通じて、ゴルフクラブのヘッドに挿入されている（特許文献２７参照）。
【００３０】
Ｏｋｕｍｏｔｏの米国特許は、主として合成樹脂及び金属製のソール板から成るウッドタイプクラブヘッド本体を開示する。金属製ソール板は、ヘッド本体をつなぐための表面においてヒール側のホーゼルを含む一体的に形成された部材と、トゥ部及び後部の重り部、及び重り部とホーゼルを接続するビームを備える（特許文献２８参照）。
【００３１】
更には、Ｏｋｕｍｏｔｏの米国特許は、望ましくは合成樹脂から成る外部シェル及びクラブヘッドの内部において位置された金属重り部材を備えたゴルフクラブヘッドを開示する。発泡材料がコアからクラブの中空内部へ射出されている。ひとたび発泡材料が射出されてソール板が取り付けられると、クラブヘッドは加熱され、発泡材料が拡張されることを引き起こし、重り部材を外部シェルの内側表面へ押すことによって、トゥ、ヒール及び／又は背面領域に位置されたリセスにおける位置の重り部材を支持する（特許文献２９参照）。
【００３２】
Ｓｕｎの米国特許は、フレームユニットが、単一のゴルフクラブヘッドを形成する雄ユニットと組に成っているウッドタイプゴルフクラブを開示する。雌ユニットは、ゴルフクラブヘッドの上部を含み、望ましくはプラスチック、合金又は木から成る。雄ユニットは、ソール板の構造的部分を含み、フェイスインサートは、打撃板及び重り要素から成る。雄ユニットは、実質的にはより大きな重量を有し、望ましくは軽い金属合金から成る。ユニットは、ボンディング又は機械的手段によって組にされ、一緒に保持される（特許文献３０参照）。
【００３３】
Ｋａｔａｙａｍａの米国特許は、フェイス面のトゥ側の高さがフェイス面の中央面の高さと同等若しくはそれ以上のウッドゴルフクラブヘッドを開示する（特許文献３１参照）。
【００３４】
Ｍａｔｔｅｒｎの米国特許は、マグネシウムのような軽い重さの金属から成る後部分を備えたクラブヘッドを開示する（特許文献３２参照）。
【００３５】
Ｂｕｔｃｈａｒｔの米国特許は、パーシモン又はそれに類似した木の材料から成る釣り合い部材及び、釣り合い部材に取り付けられたアルミニウムから成るシェル形状本体を備える（特許文献３３参照）。
【００３６】
Ａｎｄｅｒｓｏｎの米国特許は、鋳造金属材料から成る全本体及び、厚い鍛造金属最良から成るフェイスインサートを備えたゴルフクラブヘッドを開示する（特許文献３４乃至３８参照）。
【００３７】
Ｖｉｓｔｅの米国特許は、鋳造金属本体及び外部表面及びフェイスインサートの内部表面上の溝を備え、３ｍｍの厚さを備えた鍛造鋼フェイスを備えたゴルフクラブヘッドを開示する（特許文献３９参照）。
【００３８】
Ｒｏｇｅｒｓの米国特許は、鋳造アイアン本体につながれた、形成された金属フェイス板インサート溶解を備えたアイアンクラブヘッドを開示する（特許文献４０参照）。
【００３９】
Ａｉｚａｗａの米国特許は、薄い金属製のフィルム層を備えた繊維補強樹脂本体を有するゴルフクラブヘッドを開示する（特許文献４１参照）。
【００４０】
Ｙａｍａｄａの米国特許は、ポリカーボン又はこれに類似した材料から成るフェイスインサートを備えた繊維補強樹脂本体を有するゴルフクラブヘッドを開示する（特許文献４２参照）。
【００４１】
Ａｉｚａｗａの米国特許は、ベリリウムフェイス板を備えた繊維補強樹脂本体を有するゴルフクラブヘッドを開示する（特許文献４３参照）。
【００４２】
【特許文献１】
米国特許公報第４，３９８，９６５号
【特許文献２】
米国特許公報第５，８６３，２６１号
【特許文献３】
米国特許公報第３，９３７，４７４号
【特許文献４】
米国特許公報第３，９７５，０２３号
【特許文献５】
米国特許公報第５，７４３，８１３号
【特許文献６】
米国特許公報第５，４９９，８１４号
【特許文献７】
米国特許公報第３，９８９，２４８号
【特許文献８】
米国特許公報第５，３４４，１４０号
【特許文献９】
米国特許公報第５，７７６，０１１号
【特許文献１０】
米国特許公報第５，３４６，２１６号
【特許文献１１】
米国特許公報第６，１４６，５７１号
【特許文献１２】
米国特許公報第６，１４９，３５４号
【特許文献１３】
米国特許公報第５，５７０，８８６号
【特許文献１４】
米国特許公報第５，５４７，４２７号
【特許文献１５】
米国特許公報第５，４２５，５３８号
【特許文献１６】
米国特許公報第５，３７７，９８６号
【特許文献１７】
米国特許公報第５，３１０，１８５号
【特許文献１８】
米国特許公報第５，１０６，０９４号
【特許文献１９】
米国特許公報第４，５６８，０８８号
【特許文献２０】
米国特許公報第４，０２１，０４７号
【特許文献２１】
米国特許公報第５，６２４，３３１号
【特許文献２２】
米国特許公報第１，１６７，３８７号
【特許文献２３】
米国特許公報第３，６９２，３０６号
【特許文献２４】
米国特許公報第５，４１０，７９８号
【特許文献２５】
米国特許公報第４，８７７，２４９号
【特許文献２６】
米国特許公報第３，８９７，０６６号
【特許文献２７】
米国特許公報第２，７５０，１９４号
【特許文献２８】
米国特許公報第５，１９３，８１１号
【特許文献２９】
米国特許公報第５，５１６，１０７号
【特許文献３０】
米国特許公報第４，８７２，６８５号
【特許文献３１】
米国特許公報第５，３９８，９３５号
【特許文献３２】
米国特許公報第１，７８０，６２５号
【特許文献３３】
米国特許公報第１，６３８，９１６号
【特許文献３４】
米国特許公報第５，０２４，４３７号
【特許文献３５】
米国特許公報第５，０９４，３８３号
【特許文献３６】
米国特許公報第５，２５５，９１８号
【特許文献３７】
米国特許公報第５，２６１，６６３号
【特許文献３８】
米国特許公報第５，２６１，６６４号
【特許文献３９】
米国特許公報第５，２８２，６２４号
【特許文献４０】
米国特許公報第３，９７０，２３６号
【特許文献４１】
米国特許公報第５，２４２，１６８号
【特許文献４２】
米国特許公報第４，５３５，９９０号
【特許文献４３】
米国特許公報第５，４６５，９６８号
【発明が解決しようとする課題】
米国ゴルフ協会（ＵＳＧＡ）及びセントアンドリュース王室古来ゴルフクラブによって設立され解釈されたゴルフのルールは、ゴルフクラブヘッドについてある要求を課している。ゴルフクラブヘッドについての要求は、規則４及びアペンディックスＩＩに定められている。ゴルフのルールの全説明は、ＵＳＧＡのウエブページであるｗｗｗ．ｕｓｇａ．ｏｒｇで入手可能である。ゴルフのルールは、ゴルフクラブフェイスの明確なパラメータを示していないが、規則４−１ｅはフェイスがゴルフボールとのバネの衝撃における影響されることを禁じている。１９９８年、ＵＳＧＡは、クラブフェイスＣＯＲを計測する、規則４−１ｅに準じたテスト手続きを採用した。このＵＳＧＡテスト手続きは、クラブフェイスＣＯＲを計測するために使用されてもよい。
【００４３】
先行技術は複数の材料クラブヘッドの多くの多様性を開示するが、先行技術は、高反発係数及び典型的なゴルファーのためのより大きな寛容性を有する複数の材料クラブヘッドを提供していない。
【００４４】
【課題を解決するための手段】
本発明のある面は、低重量でプリプレグ材料のよりの如き非金属材料から成る本体と、金属打撃板インサートと、ゴルフクラブヘッドのより大きな慣性モーメントをもたらすための後重量部材とを備えるゴルフクラブヘッドである。
【００４５】
本発明の別の面は、４５０立方センチメートル以下の容積、１９０グラム乃至２２５グラムの範囲の重さ、３０００グラム−平方センチよりも大きいゴルフクラブヘッドの重心を通ってＩｚｚ軸における慣性モーメント、及び３０００グラム−平方センチよりも大きいゴルフクラブヘッドの重心を通ってＩｙｙ軸における慣性モーメントを備えたゴルフクラブヘッドである。
【００４６】
【発明の実施の形態】
図１乃至図９に示されるように、本発明のゴルフクラブヘッドは、２０と番号づけられている。ゴルフクラブヘッド２０は、本体２２、打撃板インサート４０及び後重量部材５０を含む。本発明のゴルフクラブヘッド２０は、寛容性に対して重心における高慣性モーメント、即ち「ＣＧ」、及びゴルフボールを打撃したときに長距離をもたらす高反発係数を有する。
【００４７】
本体２２は、クラウン２４、ソール２６、リボン２８、開口部３２を備えた前壁３０及び望ましくは窪んだ部分３３を備える。リボン２８は、打撃板インサート４０と反対に位置しているアーフトリセス５２を備える。本体２２は、望ましくは、中空内部３４を備える。ゴルフクラブヘッド２０は、ヒール端３６、トゥ端３８及びアーフト端３７を備える。本体２２は望ましくは、非金属材料、望ましくは連続的ファイバープリプレグ材料（熱硬化性材料又は樹脂用の熱可塑性材料を含む）等の混合材料から成る。本体２２における他の材料は、他の熱硬化性材料又は射出可能プラスチックの如き熱可塑性材料を含む。本体２２は望ましくは、ブラダー成形、樹脂移行成形、樹脂注入、射出成形、圧縮成形又はこれらに類似したプロセスで製造される。
【００４８】
打撃板インサート４０は、前壁３０の開口部３２の上をおおって本体２２に取り付けられる。望ましくは、打撃板インサート４０は、前壁３０の窪んだ部分３３の上をおおって取り付けられる。
【００４９】
打撃板インサート４０は望ましくは、形成された金属材料から成る。しかしながら、その代わりに、打撃板インサート４０は、機械で仕上げられた金属材料、鍛造金属材料、鋳造金属材料等から成る。打撃板インサート４０は望ましくは、形成されたチタン又は鋼材料から成る。望ましい金属は、鋼４３４０であり、熱処理され窒化チタンでコーティングされたものである。打撃板４０にとって実用的なチタン材料は、純チタン及び６−４チタン合金、ＳＰ−チタン合金（Ｎｉｐｐｏｎ　Ｓｔｅｅｌ　ｏｆ　Ｔｏｋｙｏ，　Ｊａｐａｎから入手可能）、Ｄｉａｄｏ　Ｓｔｅｅｌ　ｏｆ　Ｔｏｋｙｏ，　Ｊａｐａｎから入手可能なＤＡＴ５５Ｇチタン合金、ＲＴＩ　Ｉｎｔｅｒｎａｔｉｏｎａｌ　Ｍｅｔａｌｓ　ｏｆ　Ｏｈｉｏから入手可能なＴｉ　１０−２−３　Ｂｅｔａ−Ｃチタン合金等のチタン合金を含む。打撃板インサート４０の他の金属は、他の高強度鋼合金金属及びアモルファス金属を含む。このような鋼材料は、Ｃａｒｐｅｎｔｅｒ　Ｓｐｅｃｉａｌｔｙ　Ａｌｌｏｙｓ　ｏｆ　Ｐｅｎｎｓｙｌｖａｎｉａから全て入手可能な１７−４ＰＨ、Ｃｕｓｔｏｍ４５０，４５５，４６５及び４６５＋ステンレス鋼、ＡＥＲＭＥＴ１００及びＡＥＲＭＥＴ３１０合金鋼、及び、Ａｌｌｖａｃ　ｏｆ　Ｎｏｒｔｈ　Ｃａｌｉｆｏｒｎｉａから入手可能なＣ３５マルエージング鋼を含む。
【００５０】
このようなアモルファス金属は、８０ギガパスカル（「ＧＰａ」）乃至１２０ＧＰａの範囲の、望ましくは９０ＧＰａ乃至１００ＧＰａの範囲のヤング率を備える。このようなアモルファス金属は、アモルファス金属がベースとなったＣｒ、Ｆｅ、Ｎｉ、Ｃｏを含み、これらは８グラムパー立法センチメートル（「ｇ／ｃｃ」）乃至１０ｇ／ｃｃの範囲の密度を有する。他のアモルファス金属は、アモルファス金属がベースとなったＡｌ，Ｍｇ，Ｚｒ，及びＴｉを含み、これらは２ｇ／ｃｃ乃至６ｇ／ｃｃの範囲の密度を有する。特定のアモルファス金属は、Ｚｒ４１．２　Ｔｉ３．８　Ｃｕ１０　Ｎｉ１２．５　Ｂｅ２２．５；Ｚｒ６０Ａｌ１５　Ｃｏ２．５　Ｎｉ７．５　Ｃｕ５（１３６０の硬度、６．５ｇ／ｃｃの濃度、及び９１ＧＰａの弾性係数）；Ｆｅ７２　Ａｌ５　Ｇａ２　Ｐ１０　Ｃ６　Ｂ４　Ｓｉ１（１２５０の硬度）；Ｃｕ６０　Ｚｒ３０　Ｔｉ１０（約７００の硬度、及び１１２乃至１３４ＧＰａの弾性係数）；Ｃｕ６０　Ｈｆ３０　Ｔｉ１０（約７００の硬度、及び１１２乃至１３４ＧＰａの弾性係数）；Ｍｇ８０　Ｃｕ１０　Ｙ１０（２２０の硬度）を含む。他のアモルファス金属は、米国特許５，２８８，３４４に開示されているような合金がベースとなったベリウム、米国特許５，７３５、９７５に開示されているようなクイナリー（ｑｕｉｎａｒｙ）金属製ガラス合金、Ｃａｌｃｕｌａｔｉｏｎｓ　Ｏｆ　Ａｍｏｒｐｈｏｕｓ−Ｆｏｒｍｉｎｇ　Ｃｏｍｐｏｓｉｔｉｏｎ　Ｒａｎｇｅ　Ｆｏｒ　Ｔｅｒｎａｒｙ　Ａｌｌｏｙ　Ｓｙｓｔｅｍ　Ａｎｄ　Ａｎａｌｙｓｅｓ　Ｏｆ　Ｓｔａｂｉｌｉｚａｔｉｏｎ　Ｏｆ　Ａｍｏｒｐｈｏｕｓｅ　Ｐｈａｓｅ　Ａｎｄ　Ａｍｏｒｐｈｏｕｓ−Ｆｏｒｍｉｎｇ　Ａｂｂｉｌｉｔｙ，　Ｔａｋｅｕｃｈｉ　ａｎｄ　Ｉｎｏｕｅ，　Ｍａｔｅｒｉａｌｓ　Ｔｒａｎｓａｃｔｉｏｎ，　Ｖｏｌ．　４２，　Ｎｏ．　７，　１４３５−１４４４頁（２００１）に開示されているようなターナリー（ｔｅｒｎａｒｙ）合金を含む。
【００５１】
真空ダイキャスト、永久成形鋳造の如き方法及びアモルファス金属から組み立て製造する嵩製品用の高温形成シート材料は、周知であり、そのような方法が本発明の打撃板インサート４０の組み立て製造に用いられてもよい。アモルファス金属製造方法は、米国特許５，７９７，４４３、米国特許５，８９６，６４２、米国特許５，７１１，３６３、及び米国特許６，０２１，８４０に開示されている。
【００５２】
望ましい実施形態では、打撃板インサート４０は０．０４０インチ乃至０．２５０インチの均一の厚さを、より望ましくは０．０８０インチ乃至０．１２０インチの厚さを、最も望ましくはチタン合金打撃板インサート４０の場合は０．１０８インチであり、ステンレス鋼打撃板インサート４０の場合は０．０９０インチの均一の厚さを備える。
【００５３】
打撃板インサート４０は、望ましくは本体２２と共に成形されるか、又は、本体２２の製造に続いて開口に圧縮フィットされる。別の取り付けプロセスでは、本体は先ずブラダー成形され、そして打撃板インサート４０が接着剤を用いて前壁３０の窪んだ部分３３へつなげられる。接着剤は、窪んだ部分３３の外部表面上に置かれる。このような接着剤は、液体又はフィルム媒体中に熱硬化性接着剤を含む。望ましい接着剤は、ＤＰ４２０ＮＳ及びＤＰ４６０ＮＳというブランド名で３Ｍ　ｏｆ　Ｍｉｎｎｅａｐｏｌｉｓ　Ｍｉｎｎｅｓｏｔａによって販売されている２つの部分の液体エポキシである。他の接着剤は、３Ｍによって販売されているＤＰ８１０ＮＳのような修正されたアクリル液体接着剤を含む。或いは、Ｈｙｓｏｌ　Ｓｙｎｓｐａｎのような泡テープを本発明に用いてもよい。更に別の取り付けプロセスにおいては、本体２２は、まずブラダー成形され、そして打撃板インサート４０が機械的に本体２２に固定される。
【００５４】
上述のように、望ましい実施形態では、本体２２は、米国特許６，２４８，０２５に開示されているように複数のプリプレグのより、典型的には６又は７のより（望ましくは３乃至２０のよりの範囲）から成る。そのような実施形態では、クラウン２４、ソール２６、リボン２８は、望ましくは０．０１０乃至０．１００インチ、より望ましくは０．０２５乃至０．０７０インチ、更に望ましくは０．０２８乃至０．０４０インチ、最も望ましくは０．０３３インチの厚さを備える。前壁３０は望ましくは、クラウン２４、ソール２６、又はリボン２８よりも大きな厚さを備える。前壁の厚さは望ましくは０．０３０乃至０．１５０インチ、より望ましくは０．０５０乃至０．１００インチ、更に望ましくは０．０７０乃至０．０９０インチ、最も望ましくは０．０８０インチの厚さを備える。
【００５５】
図１１及び図１１Ａは、クラブヘッド２０の中空内部３４を示す。図１１及び図１１Ａに示されるように、前壁３０の窪んだ部分３３は、打撃板インサート４０の配置及び取り付けを支持するために形成された開口部３２を包含する。前壁３０は、望ましくは打撃板インサート４０の周囲と嵌合する肩部７５を備える。打撃板インサート４０の内部表面４０ｂの部分は、前壁３０の窪んだ部分３３の外部表面と嵌合する。前壁３０の窪んだ部分３３の厚さは望ましくは、クラウン２４、ソール２６又はリボン２８よりも厚い。
【００５６】
図１１Ａに示されるように、ホーゼル６０が中空内部３４内に配置され、ヒール端３６の近くに設けられる。ホーゼル６０は望ましくはアルミニウム材料からなり、望ましくは３乃至１０グラムの重さ、より望ましくは４乃至８グラムの重さ、最も望ましくは６グラムの重さを有する。或いは、ホーゼル６０は、ウレタン又はＡＢＳ材料のような強重合体材料から成る。望ましい実施形態では、図示しないシャフトが、図示しないホーゼルインサート内に設けられ、ホーゼルインサートはクラウンボア６２を介してホーゼル６０内に設けられている。ホーゼル６０は、望ましくはホーゼルベース６４内に位置され、ソール２６からクラウン２４へ延出される。
【００５７】
図１１及び図１１Ａに示されるように、アーフトリセス５２が設けられている。アーフトリセス５２は望ましくは、アーフトリセス突出部５２ａを形成する中空内部３４へ延在している。アーフトリセス５２は、望ましくは、上部リセス壁５４、主リセス壁５６及び底部リセス壁５８によって定められる。後重量部材５０は、図３に最も良く示されるように、アーフトリセス５２内に位置される。
【００５８】
後重量部材５０は、望ましくは、鋼、鋼合金、真ちゅう、タングステン、タングステン合金、又は他の高密度材料から成る。後重量部材５０は、望ましくは本体２２と共に成形されるか、又は、本体２２の製造に続いてアーフトリセス５２内に圧縮フィットされる。別の取り付けプロセスでは、本体２２が先ずブラダー成形され、そして後重量部材５０が接着剤を用いてアーフトリセス５２へつなげられる。接着剤は、アーフトリセス５２を定める壁５４、５６及び５８の部表面上に置かれる。このような接着剤は、液体又はフィルム媒体中に熱硬化性接着剤を含む。望ましい接着剤は、ＤＰ４２０ＮＳ及びＤＰ４６０ＮＳというブランド名で３Ｍ　ｏｆ　Ｍｉｎｎｅａｐｏｌｉｓ　Ｍｉｎｎｅｓｏｔａによって販売されている２つの部分の液体エポキシである。他の接着剤は、３Ｍによって販売されているＤＰ８１０ＮＳのような修正されたアクリル液体接着剤を含む。或いは、Ｈｙｓｏｌ　Ｓｙｎｓｐａｎのような泡テープを本発明に用いてもよい。更に別の取り付けプロセスにおいては、本体２２は、まずブラダー成形され、そして後重量部材５０がアーフトリセス５２に機械的に固定される。
【００５９】
本発明は、望ましくは、ゴルフクラブヘッドにおいて用いられ、高反発係数を有し、これによって、本発明のゴルフクラブヘッドでゴルフボールを打撃したときに長距離をもたらすことが可能となる。高反発係数（以下、「ＣＯＲ」とする）は、以下の式によって決定される。
【００６０】
【数１】
2004041681.tif 000003
ここで、Ｕ１は、インパクト前のクラブヘッドの速度である。Ｕ２は、インパクト後のゴルフボールの速度であり、ゼロである。ｖ１は、クラブヘッドのフェイスからゴルフボールが離れた直ぐ後のクラブヘッドの速度である。ｖ２は、クラブヘッドのフェイスからゴルフボールが離れた直ぐ後のゴルフボールの速度である。ｅは、ゴルフボールとクラブフェイスの反発係数である。
【００６１】
ｅ値は、エネルギの追加がないシステムに対し、ゼロ乃至１．０の間に制限される。反発係数ｅは、軟粘度やパテのような材料ではゼロに近く、変形の結果としてエネルギを損失しない完全な弾性材はｅ値は１．０である。本発明では、従来のテスト条件下で計測された場合に反発係数が望ましくは０．８０乃至０．９４の範囲であるクラブヘッド２０を与えるものである。
【００６２】
本発明のクラブヘッド２０の反発係数は、与えられたボールを用いたＵＳＧＡのテスト条件の基準の下では、望ましくは約０．８０乃至０．９４の範囲であり、より望ましくは０．８２乃至０．８９であり、最も望ましくは０．８６である。
【００６３】
本発明のクラブヘッド２０の容積は、２５０乃至６００立方センチメートルであり、より望ましくは３３０乃至５００立方センチメートルであり、更に望ましくは３６０乃至４５０立方センチメートルであり、最も望ましくは４２０立方センチメートルである。クラブヘッド２０の容積は、小さな容積のフェアウェイウッド（望ましくは３番ウッド乃至１１番ウッドの範囲）とフェアウェイウッドよりも大きな容積を有するドライバとの間で様々である。
【００６４】
本発明のクラブヘッド２０の重さは、望ましくは１６５乃至３００グラムであり、より望ましくは１７５乃至２５０グラムであり、更に望ましくは１９０乃至２２５グラムであり、最も望ましくは１９６グラムである。望ましくは、打撃板インサート４０の重さは、４０乃至９０グラムであり、より望ましくは５０乃至８０グラムであり、更に望ましくは５５乃至７５グラムであり、最も望ましくは６５グラムである。本体２２（重量部なし）の重さは、望ましくは３０乃至１００グラムであり、より望ましくは４０乃至９０グラムであり、更に望ましくは６０乃至８０グラムであり、最も望ましくは７０グラムである。アーフト重量部材５０の重さは、望ましくは３０乃至９０グラムであり、より望ましくは４０乃至７０グラムであり、最も望ましくは５５グラムである。ホーゼル６０は、望ましくは３乃至１０グラムであり、より望ましくは４乃至８グラムであり、最も望ましくは６グラムである。更には、エポキシ又はその他の流動可能材料は、０．５乃至５グラムの範囲で、選択された重量のためにゴルフクラブヘッド２０の中空内部３４へ射出されてもよい。
【００６５】
図１２及び図１３に示されるように、打撃板インサート４０からクラウン２４のアーフト端３７までのクラブヘッド２０の深さ「Ｄ」は、望ましくは３．０乃至４．５インチの範囲にあり、最も望ましくは３．７４インチである。ソール２６からクラウン２４までアドレス位置において計測したときの、クラブヘッド２０の高さ「Ｈ」は、望ましくは２．０乃至３．５インチであり、最も望ましくは２．６２インチである。トゥ端３８からヒール端３６までのクラブヘッド２０の幅「Ｗ」は、望ましくは４．０乃至５．５インチであり、最も望ましくは４．５７インチである。打撃板インサート４０の高さ「ｈ」は、望ましくは１．８乃至２．５インチであり、最も望ましくは２．０８インチである。トゥ端からヒール端までの打撃板インサートの幅「ｗ」は望ましくは３．０乃至５．０インチであり、最も望ましくは３．５２インチである。
【００６６】
図１４及び図１５は、ゴルフクラブヘッドの重心を通った慣性軸を示す。慣性軸は、Ｘ、Ｙ及びＺで示されている。Ｘ軸は、打撃板インサート４０から、重心ＣＧを介して、ゴルフクラブヘッド２０の後へと延在されている。Ｙ軸は、ゴルフクラブヘッド２０のトゥ端３８から、重心ＣＧを介して、ゴルフクラブヘッド２０のヒール端３６へ延在されている。Ｚ軸は、クラウン２４から、重心ＣＧを介して、ソール２６へ延在されている。
【００６７】
Ｒａｌｐｈ　ＭａｌｔｂｙのＧｏｌｆ　Ｃｌｕｂ　Ｄｅｓｉｇｎ，　Ｆｉｔｔｉｎｇ，　Ａｌｔｅｒｎａｔｉｏｎ　＆　Ｒｅｐａｉｒ，　４ｔｈ　Ｅｄｉｔｉｏｎに定められているように、ゴルフクラブヘッドの重心又は重さの中心は、クラブヘッドがつるされたときにクラブヘッドがつりあう２以上の点の垂直交点によって決定されるクラブヘッドの内部の点である。重心のこの定義の詳細は、Ｇｏｌｆ　Ｃｌｕｂ　Ｄｅｓｉｇｎ，　Ｆｉｔｔｉｎｇ，　Ａｌｔｅｒｎａｔｉｏｎ　＆　Ｒｅｐａｉｒに示されている。
【００６８】
ゴルフクラブヘッド２０の重心及び慣性モーメントは望ましくは、テストフレーム（ＸＴ，ＹＴ，ＺＴ）を用いて計測され、そしてヘッドフレーム（ＸＨ，ＹＨ，ＺＨ）に変形される。ゴルフクラブヘッドの重心は、２つの重さスケールを備えた重心表を用いて得ることができる。もし軸が存在すると、ゴルフクラブヘッドに対して普通であるフェイスの多くを備えるホーゼルキューブによってそれは取り除かれ、取って代られる。ゴルフクラブヘッドの重さが与えられると、ゴルフクラブヘッドが同時に両スケール上に位置され、特別な軸、即ちＸ、Ｙ、又はＺ軸に沿って圧せられるときに、スケールは、ゴルフクラブヘッドの重量配分を決定するために１つ許容する。
【００６９】
一般的に、本発明のゴルフクラブヘッド２０のＺ軸における慣性モーメントＩｚｚは、２８００ｇ−ｃｍ２乃至５０００ｇ−ｃｍ２であり、望ましくは３０００ｇ−ｃｍ２乃至４５００ｇ−ｃｍ２であり、より望ましくは３２００ｇ−ｃｍ２乃至４０００ｇ−ｃｍ２であり、最も望ましくは３７５８ｇ−ｃｍ２である。本発明のゴルフクラブヘッド２０のＹ軸における慣性モーメントＩｙｙは、１５００ｇ−ｃｍ２乃至４０００ｇ−ｃｍ２であり、望ましくは２５００ｇ−ｃｍ２乃至３４００ｇ−ｃｍ２であり、より望ましくは２９００ｇ−ｃｍ２乃至３１００ｇ−ｃｍ２であり、最も望ましくは３００３ｇ−ｃｍ２である。
【００７０】
更には、本発明のゴルフクラブヘッド２０は望ましくは、米国特許６，４２５，８３２に開示されているような慣性の良好製造品を備える。ゴルフクラブヘッド２０の製造品慣性の夫々、即ち、Ｉｘｙ、Ｉｘｚ及びＩｙｚは、望ましくは１００ｇ−ｃｍ２以下の絶対値を備える。
【００７１】
【発明の効果】
以上詳述したところから明らかなように、高反発係数及び典型的なゴルファーのためのより大きな寛容性を有する複数の材料クラブヘッドを提供することができる。
【図面の簡単な説明】
【図１】本発明のゴルフクラブを上からみた分解斜視図である。
【図２】本発明のゴルフクラブヘッドの正面図である。
【図３】図１のゴルフクラブヘッドの背面図である。
【図４】図１のゴルフクラブヘッドのトゥ側面図である。
【図５】図１のゴルフクラブヘッドの底面図である。
【図６】図１のゴルフクラブヘッドの平面図である。
【図７】図１のゴルフクラブヘッドのヒール側面図である。
【図８】本発明のゴルフクラブヘッドを上からみた分解斜視図である。
【図９】本発明のゴルフクラブを下からみた分解斜視図である。
【図１０】打撃板インサートを備えていない本発明のゴルフクラブヘッドの本体の斜視図である。
【図１１】打撃板インサートを備えていない本発明のゴルフクラブヘッドの本体の正面図である。
【図１１Ａ】図１１における線Ａ−Ａに沿った断面図である。
【図１２】本発明のゴルフクラブヘッドの平面図である。
【図１３】本発明のゴルフクラブヘッドの正面図である。
【図１４】Ｚ軸及びＹ軸を示した本発明のゴルフクラブの平面図である。
【図１５】Ｚ軸及びＸ軸を示した本発明のゴルフクラブのヒール側平面図である。
【符号の説明】
２０　　　　ゴルフクラブヘッド
２２　　　　本体
２８　　　　リボン
３０　　　　前壁
３２　　　　開口部
４０　　　　打撃板インサート
５０　　　　後重量部材
５２　　　　リセス
【図１】
2004041681.tif 000004
【図２】
2004041681.tif 000005
【図３】
2004041681.tif 000006
【図４】
2004041681.tif 000007
【図５】
2004041681.tif 000008
【図６】
2004041681.tif 000009
【図７】
2004041681.tif 000010
【図８】
2004041681.tif 000011
【図９】
2004041681.tif 000012
【図１０】
2004041681.tif 000013
【図１１】
2004041681.tif 000014
【図１１Ａ】
2004041681.tif 000015
【図１２】
2004041681.tif 000016
【図１３】
2004041681.tif 000017
【図１４】
2004041681.tif 000018
【図１５】
2004041681.tif 000019